(57)【特許請求の範囲】
【請求項１】
炭酸水素ナトリウムと、カルボン酸又はオキシカルボン酸の内から選択する少なくとも一つの酸とを主体とする発泡性固形物であり、かつ該発泡性固形物に魚類が嫌うグリン系の蛍光染料を含有し、該発泡性固形物の周縁に、海中に投入した発泡性固形物の発泡を遅延するための発泡遅延体を設けたものであり、該発泡遅延体が前記発泡性固形物の圧縮圧力を高めて固形化したものか、又は前記発泡性固形物に混合する賦形材の含有量を多くしたものであることを特徴とする水中動物威嚇発泡性固形物。
【請求項２】
炭酸水素ナトリウムと、カルボン酸又はオキシカルボン酸の内から選択する少なくとも一つの酸とを主体とする発泡性固形物であり、かつ該発泡性固形物に魚類が嫌うグリン系の蛍光染料を含有し、前記発泡性固形物を二層とし、該発泡性固形物の外周の発泡性固形物の固形強度を硬質として発泡遅延体としたものであることを特徴とする水中動物威嚇発泡性固形物。
【請求項３】
前記発泡性固形物内に重りを設けたことを特徴とする請求項１又は２に記載の水中動物威嚇発泡性固形物。
【請求項４】
請求項１又は２の水中動物威嚇発泡性固形物の集合体からなる発泡性固形物であり、該発泡性固形物を発泡遅延体で包囲していることを特徴とする水中動物威嚇発泡性固形物。
【請求項５】
請求項１又は２の水中動物威嚇発泡性固形物の集合体からなる発泡性固形物であり、該発泡性固形物を収納する容器に泡が通過する多数の穴が設けられていることを特徴とする水中動物威嚇発泡性固形物。
【発明の詳細な説明】
【０００１】
【発明の属する技術分野】
本発明は、魚類等の水中動物を泡で威嚇して、漁網に囲い込んで捕獲するための水中動物威嚇発泡性固形物に関するものである。
【０００２】
【従来の技術】
従来、巻網操業では、図７に示したように、魚群Ａを発見すると漁船１から海中に投網をしてその魚群を包囲し、網２の上部のアバ引き寄せ線（トウライン）３を引き締めて網２の上部を閉じ、続いて、網２の最下部の環に通した環巻きワイヤ４を巻き締めて、網２の底部を閉める。環巻き作業が終了後、魚船１上に網２を引き揚げて漁獲を行っている。
【０００３】
【発明が解決しようとする課題】
しかし、図７で説明した従来の巻網操業では、投網の環締め作業を開始すると、環巻きワイヤ４が巻き揚げられる音で魚群Ａが網２の開口部Ｂから一斉に逃げて、漁獲量が減少したりして、好ましくない。殊に、網口の海面近くでは、音や衝撃音で威嚇し得るので、比較的問題は少ないが、網口の開口部Ｂの底部、水深１００〜１５０ｍの位置では、魚群の逃逸を防止するのは困難であった。仮に、魚群の水深が１０〜２０ｍと比較的浅い場合であっても、短時間に海面から衝撃を与えて、魚群を威嚇しながら包囲しなければならないので、魚群の逃逸を防止しながら囲い込むのは、熟練を要した。
【０００４】
本発明は、上述のような課題に鑑みなされたものであって、魚群を威嚇する発泡体であって、比較的深い水深の魚群の威嚇にも適した水中動物威嚇発泡性固形物を提供することを目的とするものである。
【０００５】
【課題を解決するための手段】
本発明は、上記課題を達成するためになされたものであり、請求項１の発明は、炭酸水素ナトリウムと、カルボン酸又はオキシカルボン酸の内から選択する少なくとも一つの酸とを主体とする発泡性固形物であり、かつ該発泡性固形物に魚類が嫌うグリン系の蛍光染料を含有し、該発泡性固形物の周縁に、海中に投入した発泡性固形物の発泡を遅延するための発泡遅延体を設けたものであり、該発泡遅延体が前記発泡性固形物の圧縮圧力を高めて固形化したものか、又は前記発泡性固形物に混合する賦形材の含有量を多くしたものであることを特徴とする水中動物威嚇発泡性固形物である。
【０００６】
請求項１の発明では、炭酸水素ナトリウムとクエン酸、コハク酸等の酸との化学反応を利用して、二酸化炭素（ＣＯ２  ）を発生させることによって、海中で発泡させて、魚群を威嚇する水中動物威嚇発泡性固形物である。発泡性固形物の周囲に設けた発泡遅延体は、海中深く降下していく間に溶解して、想定した深さで発泡性固形物が発泡を開始するようにしたものである。例えば、水中動物威嚇発泡性固形物が水深約３０ｍまで降下して、初めて発泡を開始して水深１００ｍ程度まで発泡しながら降下するようにしたものや、所定の水深まで降下して初めて、発泡を開始するようにしたものである。
【０００７】
また、前記発泡性固形物がグリン系に蛍光染料を含有するものであり、グリン系に発色する蛍光染料は魚類が嫌う性質があり、例えばウラニン（フルオルセインナトリウム）等を含有した水中動物威嚇発泡体である。
【０００８】
また、請求項２の発明は、炭酸水素ナトリウムと、カルボン酸又はオキシカルボン酸の内から選択する少なくとも一つの酸とを主体とするグリン系の蛍光染料を含有する発泡性固形物であり、前記発泡性固形物を二層とし、該発泡性固形物の外周の発泡性固形物の固形強度を硬質として発泡遅延体としたものであることを特徴とする水中動物威嚇発泡性固形物である。
請求項２の発明では、二層の発泡性固形物の外側の強度を高めて容易に溶解しないようにし、内側の発泡性固形物は、比較的溶解し易いようにして、発泡性固形物を水深深く降下させて、発泡するようにしたものである。無論、外周の発泡性固形物のバインダー量を調整して硬質にしてもよいし、圧縮圧力を高めて硬質としてもよい。賦形剤（バインダー剤）としては、例えばカルボキシメチルセルロースカルシウムが使用される。
【０００９】
また、請求項３の発明は、前記発泡性固形物内に重りを設けたことを特徴とする請求項１に記載の水中動物威嚇発泡性固形物である。
請求項３の発明では、水中動物威嚇発泡性固形物の重さを調整するために重りを設けることで、海中を発泡体が海中深く降下して発泡を開始させることができる。
【００１０】
また、請求項４の発明は、請求項１又は２の水中動物威嚇発泡性固形物の集合体からなる発泡性固形物であり、該発泡性固形物を発泡遅延体で包囲していることを特徴とする水中動物威嚇発泡性固形物である。
請求項４の発明では、前記発泡性固形物が海中深く降下して分散するので、発泡効果が強調されて威嚇効果が増す。
【００１１】
また、請求項５の発明は、請求項１又は２の水中動物威嚇発泡性固形物の集合体からなる発泡性固形物であり、該発泡性固形物を収納する容器に泡が通過する多数の穴が設けられていることを特徴とする水中動物威嚇発泡性固形物である。
請求項５の発明では、発泡性固形物を収納する容器に多数の穴を設けられており、これらの穴を通過する気泡を大きくすることができるので、魚群の威嚇効果が大きい。
【００１３】
【発明の実施の形態】
以下、本発明に係る水中動物威嚇発泡性固形物の実施の形態について、図面を参照して説明する。なお、図１〜図５は、本実施形態における水中動物威嚇発泡性固形物を示す図である。図６は、水中動物威嚇発泡性固形物の使用方法を説明するための説明図である。
【００１４】
先ず、本実施形態の水中動物威嚇発泡性固形物の組成物について説明する。本実施形態の水中動物威嚇発泡性固形物の主組成物は、炭酸水素ナトリウムと、カルボン酸又はオキシカルボン酸の内から選択する少なくとも一つの酸とで構成されている。カルボン酸としては、例えばコハク酸，シュウ酸，マロン酸等の酸であり、オキシカルボン酸としては、例えばクエン酸、リンゴ酸等の酸である。
【００１５】
また、本実施形態の水中動物威嚇発泡性固形物は、炭酸水素ナトリウムと、例えばクエン酸と、賦形剤とを混合して練り固めた固形物である。賦形剤は、例えばゲル状のカルボキシメチルセルロースカルシウム或いはカルボキシメチルセルロースナトリウム等が用いられる。発泡性固形物の周囲には、発泡遅延体が設けられ、海中深く降下している間に溶解して、想定した深さで発泡を開始するようにしたものである。この水中動物威嚇発泡性固形物は、海中で発泡して魚群を威嚇することができる。
【００１６】
次に、本実施形態の水中動物威嚇発泡性固形物の製造方法について説明する。先ず、水中動物威嚇発泡性固形物の組成物の重量パーセントは、例えば、炭酸水素ナトリウムが５６．７重量パーセント、クエン酸が４２．７重量パーセント、賦形剤が０．６重量パーセントとし、水中動物威嚇発泡性固形物の一個当たりの重量は、１〜２ｋｇとする。これらの薬剤を混合機に投入して、十分に攪拌して混合した後、これらの組成物にエタノールを加えて、適度な湿り気を与え、この組成物を所定の型に入れて固めて乾燥させることによって、所定の形状の水中動物威嚇発泡性固形物を形成する。
【００１７】
本実施形態の水中動物威嚇発泡性固形物は、炭酸水素ナトリウムとクエン酸とが式１で示した化学反応によって、二酸化炭素（ＣＯ２）を発生する。
【００１８】
【化１】
0003739270.tif 000002
【００１９】
次に、本実施形態の水中動物威嚇発泡性固形物について、図面を参照して説明する。図１（ａ）は、その形状が球形の水中動物威嚇発泡性固形物５であり、図１（ｂ）は円柱状の水中動物威嚇発泡性固形物５であり、図１（ｃ）は、円柱状であって、その一端面部５ａと他端面部５ｂとが湾曲状に突出したものであり、断面長穴状の水中動物威嚇発泡性固形物５である。これらは、発泡性固形物６で構成されている。なお、水中動物威嚇発泡性固形物５は、降下する際の海水中での抵抗を考慮すると、球体が好ましいが、円柱状のものや断面長穴状のものであってもよい。
【００２０】
図１の水中動物威嚇発泡性固形物は、例えばオブラートを被覆して海中に投入される。オブラートは、発泡性固形物６を包むように被覆してもよいし、オブラートを発泡性固形物６の形状に合わせて袋状とし、その袋状の中に発泡性固形物６を収納してもよい。また、オブラートの厚さは、例えば３０〜４０μｍのものが用いられる。オブラートは、発泡遅延体として利用するものであり、概ね１０μｍの厚さでは、条件によって、膨潤して１０秒程度保たせることができるが、概ね水中で２〜３秒で溶解する。従って、海中への落下速度と水深とを考慮して、オブラートを数枚重ね合わせて適宜な厚さに調整して、発泡性固形物６が発泡を開始する水深を設定する。また、オブラートは、澱粉とゼラチン或いはカンテン等との混合物であり、その組成成分の比率を調整して、その溶解速度を調整することもできる。なお、澱粉の含有量に対してゼラチンの含有量を多くすれば、溶解速度を遅くすることができる。
【００２１】
次に、水中動物威嚇発泡性固形物が球体である場合を想定して、落下距離と経過時間（秒）との関係を求める。例えば、水中動物威嚇発泡性固形物は、総重量を１ｋｇとし、プレスして直径１０ｃｍの球体とする。なお、海水の密度ρｓは、１．０５とする。水中動物威嚇発泡性固形物の時間経過ｔと落下距離Ｘとの関係は、下記の式２から求められる。先ず、終速度Ｖを求めて、上記の関係を求める。
【００２２】
【数１】
0003739270.tif 000003
【００２３】
なお、抵抗Ｃは、終速度Ｖとｍｇとの関係（Ｖ＝ｍｇ／Ｃ）から求められる。終速度Ｖは、水中動物威嚇発泡性固形物が釣り合った状態で落下するので、重力（自重）Ｗと浮力Ｂと抗力Ｄとが、Ｗ−Ｂ＝Ｄの関係に基づく、１式から求めることができる。終速度Ｖは、約１．５００ｍ／ｓｅｃと求められた。上記２式で算出された水中動物威嚇発泡性固形物の経過時間（秒）と落下距離（ｍ）との関係を以下の表１に示す。
【００２４】
【表１】
0003739270.tif 000004
【００２５】
表１から明らかなように、水中動物威嚇発泡性固形物は、海流等を考慮すると不確定な部分はあるが、球体の水中動物威嚇発泡性固形物では、水深が３０ｍ前後は約２０秒、６０ｍ前後で約４０秒、９０ｍ前後で約６０秒に達すると想定できる。従って、水深が３０ｍ程度の場合は、２０秒程度で降下するので、発泡遅延体としては、厚さ４０μｍのオブラートを２枚程度を発泡性固形物の表面に貼付することで、十分対応することができる。それより水深が深くなった場合には、オブラートの枚数を増やすことで対応できる。
【００２６】
また、本実施形態の発泡遅延体としては、オブラート以外に、以下に説明するものであってもよい。図２（ａ），（ｃ）は、水中動物威嚇発泡性固形物を示す正面図である。図２（ｂ）は、図２（ａ）の一点鎖線に沿った断面図であり、図２（ｄ）は、図２（ｃ）の一点鎖線に沿った断面図である。なお、図２（ｃ）は、円柱状であり、一端面５ｃが平坦であり、他端面５ｄが湾曲したものである。図２（ａ），（ｃ）の実施形態では、発泡性固形物６の外周に比較的溶解の遅い発泡遅延体７を被覆したものであり、図２の実施形態は、図１（ｂ），（ｃ）にも適応し得る。発泡遅延体７は、発泡性固形物６の外層に設けられ、比較的溶解速度が遅く、２０〜３０秒程度経過しないと発泡性固形物６に到達しない層であり、発泡遅延体７としては、例えば澱粉と砂糖とを被覆したものやヒドロキシプロピルセルロース等をコーテイングしたものである。
また、発泡遅延体７は、例えば上記主要構成成分の薬剤を固める際の圧縮圧力を高めて強固に固形化し、容易に溶解しない容器とし、その容器に容易に溶解する発泡性固形物６を収納してもよい。あるいは、発泡遅延体７が発泡性固形物に混入する賦形剤の含有量を多くして、比較的溶解し難い形態とし、水中動物威嚇発泡成固形物が水深深く降下して、発泡遅延体７が溶解し、発泡性固形物６が発泡するようにしたものであってもよい。
【００２７】
また、図３の実施形態は、水中動物威嚇発泡性固形物の重さを調整したもであり、この実施形態では、より短時間で水深深く降下させるために、図２に示した実施形態のものに重りを備えたものである。図３（ｂ），（ｄ）は、それぞれ図３（ａ），（ｃ）の断面図であり、これら断面図からから明らかなように、発泡性固形物６の中に重り８を包含している。重り８は、例えば棒状又は球状の鉄が用いられる。図３（ａ）は、図１（ａ）の水中動物威嚇発泡性固形物と同一直径であれば、図３（ａ）より重量が重いので、短時間で所定の水深近傍に降下させることができる。
【００２８】
一方、本発明の水中動物威嚇発泡性固形物では、発泡性固形物が所定の水深で分散して発泡する方が効果的な威嚇が可能である。図４は、水中動物威嚇発泡性固形物の他の実施形態を示している。図４では、円柱状の発泡性固形物６を束ねたものを発泡遅延体９で被覆したものである。発泡遅延体９は、ゼラチン、オブラート、又はヒドロキシプロピルセルロースを主体とするシート又は容器（カプセル）に収納したものである。
【００２９】
図４の水中動物威嚇発泡性固形物では、所定の水深に達すると、シートや容器からなる発泡遅延体９が溶解して、発泡性固形物６が互いに発泡を開始しながら分散する。個々の発泡性固形物６が泡を発生しながら広い範囲に拡散して発泡するので、魚類等の水中動物の威嚇に効果的である。
【００３０】
次に、図５を参照して、本発明の他の実施形態について説明する。図５（ａ），（ｂ）は、水中動物威嚇発泡性固形物の実施形態を示し、図５（ａ）は一部切欠斜視図であり、図５（ｂ）は斜視図である。図５（ａ），（ｂ）の水中動物威嚇発泡性固形物は、円柱状や四角形の容器１０に発泡性固形物６を収納したものであり、容器１０の表面には、多数の穴１１が形成されている。穴１１の直径は、５〜１０ｍｍであり、穴１１には、発泡遅延体７が設けられている。発泡遅延体７としては、オブラート等の膜が用いられる。また、発泡遅延体７は、全ての穴１１を塞ぐように容器１０の裏側を被着するようにしてもよい。さらに、オブラート等の膜で覆われた発泡性固形物６を容器１１に収納してもよい。容器１１は、乳酸ポリマー等の分解性樹脂やデンプンを焼き固めたものやヒドロキシプロピルセルロース等が用いられる。無論、この形態では、浮力が大きくなる場合があり、重りを抱き合わせるか、重りを容器１１内に入れて海中に投下する。
【００３１】
また、本発明の他の実施形態としては、上記実施形態における発泡性固形物６に、蛍光染料を含有するものである。この蛍光染料は、魚類が嫌うグリン系の蛍光染料、例えばウラニン（フルオレセインナトリウム）等を含有した水中動物威嚇発泡性固形物である。
【００３２】
続いて、図６を参照して、本発明の水中動物威嚇発泡性固形物を利用した巻網漁業について、簡単に説明する。図６（ａ）は、鳥付き、木付き等により、魚群Ａを発見し、或いは魚群探知機等の手段で魚群Ａを発見して、漁船１から海中に網を投下して、その魚群Ａを包囲する。船１ａは、先行して魚群Ａを包囲する際に、Ｘで記した海域に、上記の水中動物威嚇発泡性固形物を投下して発泡させて威嚇しながら包囲する。なお、水中動物威嚇発泡性固形物の投下には、水中動物威嚇発泡性固形物を投擲具で前方に打ち込みながら行ってもよい。このように水中動物威嚇発泡性固形物を投下して、図６（ｂ）のように、魚群Ａを囲い込む。
【００３３】
網２は、図６（ｂ）で示したように、網２の上部のアバ引き寄せ線（トウライン）３を引き締めて網２の上部を閉じ、続いて、網２の最下部の環に通した環巻きワイヤ４を巻き締めて、網２の底部を閉める。この際、網２は、Ｙで示した部分（網口）が開口しており、魚は、この部分Ｙから一斉に逃げようとする。部分Ｙは、水深１００ｍ以上になり、この部分Ｙに、水深深くで発泡を開始する水中動物威嚇発泡性固形物を投下して魚群Ａを威嚇し、網２を閉じる。このような作業を行って、網２から魚が逃げて漁獲量が減少するのを防止する。網口部分に投下する水中動物威嚇発泡性固形物は、図３乃至図５の形態が好ましい。
【００３４】
【発明の効果】
上記記載にように、本発明によれば、魚群を効果的に威嚇して包囲することができる利点がある。
また、本発明によれば、発泡性固形物の周囲に発泡遅延体が設けられているので、所定の水深で発泡させることができる利点がある。
また、本発明によれば、発泡性固形物に魚類が忌諱するグリン系の蛍光染料を含有しており、魚群の威嚇効果を高めることができる利点がある。
また、本発明によれば、多数の発泡性固形物を束ねて容器等に収納して海中に投下して、所定の水深で容器等の発泡遅延体が溶解して、発泡性固形物が広く分散させて広範囲に発泡させることができるので、魚群の威嚇効果が大きい利点がある。
また、本発明によれば、容器に穴を設けたものでは、炭酸ガスの気泡を大きくすることができるので魚群の威嚇効果が大きい利点がある。
【図面の簡単な説明】
【図１】本発明の一実施形態を示す正面図である。
【図２】（ａ），（ｃ）は、本発明の他の実施形態を示す正面図、（ｂ），（ｄ）はそれらの断面図である。
【図３】（ａ），（ｃ）は、本発明の他の実施形態を示す正面図、（ｂ），（ｄ）はそれらの断面図である。
【図４】本発明の他の実施形態を示す要部切欠斜視図である。
【図５】（ａ）は、本発明の他の実施形態を示す要部切欠斜視図、（ｂ）は、本発明の他の実施形態を示す斜視図である。
【図６】本発明の実施形態を使用した巻網漁業についての説明図である。
【図７】巻網漁業の説明図である。
【符号の説明】
Ａ  魚群
１  漁船
１ａ  船
２  網
３  アバ引き寄せ線
４  ワイヤ
５  水中動物威嚇発泡性固形物
６  発泡性固形物
７  発泡遅延体
８  重り
９  発泡遅延体
１０  容器
１１  穴
【図１】
0003739270.tif 000005
【図２】
0003739270.tif 000006
【図３】
0003739270.tif 000007
【図４】
0003739270.tif 000008
【図５】
0003739270.tif 000009
【図６】
0003739270.tif 000010
【図７】
0003739270.tif 000011